(57)【特許請求の範囲】
【請求項１】
情報データを担う情報ピットが形成されるべき情報トラックと、複数のプリピットが予め形成されているプリピットトラックとを含む光学式記録媒体であって、前記情報トラックの各々はプリピットトラックの各々に隣接して形成され、
前記プリピットの各々は、少なくともその底部が前記プリピットトラックに隣接する前記情報トラックの双方から離間して形成され、
前記プリピットの各々は、さらに、当該プリピットの深さ方向の途中位置で前記情報トラックの双方と連続していることを特徴とする光学式記録媒体。
【請求項２】
前記情報トラックはグルーブトラックであり、前記プリピットトラックはランドトラックであり、前記プリピットはランドプリピットであることを特徴とする請求項１記載の光学式記録媒体。
【請求項３】
前記プリピットの各々の底部のディスク半径方向の幅は、前記プリピットトラック各々のディスク半径方向の幅よりも狭いことを特徴とする請求項１または２記載の光学式記録媒体。
【発明の詳細な説明】
【０００１】
【発明の属する技術分野】
本発明は、ユーザ側において情報データの記録が可能な光学式記録媒体に関する。
【０００２】
【従来技術】
現在、かかる光学式記録媒体として、追記型のＤＶＤ(Digital Versatile Disc)−Ｒ、及び書換可能なＤＶＤ−ＲＷが製品化されている。
図１は、情報データが記録される前のＤＶＤ−Ｒ又はＤＶＤ−ＲＷ(以下、単にＤＶＤと称する)の記録面及び断面の構造を示す斜視図である。
【０００３】
図１に示されるように、ＤＶＤの記録層Ｒ上には、螺旋状もしくは同心円状に、（図の視点から見て）凸状のグルーブトラックＧＶ及び（同様に図の視点から見て）凹状のランドトラックＬＤが交互に形成されている。図1に示された如く、ＤＶＤは透明基板Ｂを有しており、基板Ｂがそのグルーブ及びランドトラックを有する面で記録層Ｒに付いている。
ランドトラックＬＤ上には、ＤＶＤレコーダ(図示せぬ)が、その情報データ（音声データ、映像データ、及びコンピュータデータ）の記録時にグルーブトラックＧＶ上の位置を認識する為のアドレス、並びに記録タイミングを担う複数のランドプリピットＬＰＰが予め形成されている。これらランドプリピットＬＰＰの各々は、隣接する両グルーブトラックＧＶ間を連結する形態で形成されており、その底面(斜線にて示す面)は、グルーブトラックＧＶの底面（同様に斜線にて示す）と繋がっている。
【０００４】
ＤＶＤレコーダが、かかるＤＶＤに対して情報データの記録を行うには、この情報データに応じた記録ビームをグルーブトラックＧＶの底面に照射する。この際、記録ビームが照射されたグルーブトラックＧＶ上の領域に熱が伝わり、その領域内に図２に示されるが如き情報ピットＰＴが形成される。すなわち、情報データを担う情報ピット列が上記グルーブトラックＧＶ上に形成されて行くのである。
【０００５】
しかしながら、ＤＶＤレコーダからの記録ビームがグルーブトラックＧＶ上におけるランドプリピットＬＰＰに架かる位置に照射されると、図２に示されるが如き変形した情報ピットＰＴＸが形成されてしまう。これは、記録ビームを照射した際の熱がランドプリピットＬＰＰの一部にもおよぶからである。
従って、図２に示されるが如き記録形態を有するＤＶＤから情報データの再生を行うと、特に、上述の変形ピットＰＴＸを読み取った際に得られた読取信号に波形歪みが生じ、読み取りエラー率が高くなるという問題が発生する。
【０００６】
【発明が解決しようとする課題】
本発明は、上述した点に鑑みなされたものであり、その情報再生時に波形歪みの無い読取信号が得られる光学式記録媒体を提供することを目的とする。
【０００７】
【課題を解決するための手段】
本発明による光学式記録媒体は、情報データを担う情報ピットが形成されるべき情報トラックと、複数のプリピットが予め形成されているプリピットトラックとを含む光学式記録媒体であって、前記情報トラックの各々はプリピットトラックの各々に隣接して形成され、前記プリピットの各々は、少なくともその底部が前記プリピットトラックに隣接する前記情報トラックの双方から離間して形成され、前記プリピットの各々は、さらに、当該プリピットの深さ方向の途中位置で前記情報トラックの双方と連続していることを特徴としている。
【０００８】
【発明の実施の形態】
以下、本発明の実施例を図に基づいて詳細に説明する。
図３は、本発明による光学式記録媒体としての追記又は書換可能なＤＶＤの記録面及び断面の構造を示す斜視図である。尚、図３においては、ＤＶＤレコーダ(図示せぬ)によって情報データの記録が為される以前の形態を示している。
【０００９】
図３に示されように、かかるＤＶＤの記録層Ｒ上には、螺旋状もしくは同心円状に、凸状のグルーブトラックＧＶ及び凹状のランドトラックＬＤが交互に形成されている。図1の場合と同様に、ＤＶＤは透明基板Ｂを有しており、基板Ｂがそのグルーブ及びランドトラックを有する面で該記録層Ｒに付いている。
ここで、ＤＶＤレコーダが、かかるＤＶＤに対して情報データ（音声データ、映像データ、及びコンピュータデータ）の記録を行うと、上記グルーブトラックＧＶ上に、上記情報データを担う情報ピット列が形成される。
【００１０】
一方、ランドトラックＬＤ上には、かかるＤＶＤレコーダによる情報データの記録時に、グルーブトラックＧＶ上の位置を認識する為のアドレス、並びに記録タイミングを担う複数の島状のランドプリピットＬＰＰ’が、予め点在して形成されている。
この際、ランドプリピットは、グルーブトラックＧＶへの光ビームの照射時に、その照射による熱の伝わりやすい部分となるが、ランドプリピットの各々は図３、４に示されるように、島状のランドプリピットＬＰＰ’として形成され、隣接する両グルーブトラックＧＶの各々から所定距離だけ離間して形成されている。換言すれば、ランドプリピットＬＰＰ’の底部のディスク半径方向の幅Ｗ2は図4に示された如く、ランドトラックＬＤの幅Ｗ3より狭く形成されており、これによりランドプリピットＬＰＰ’はグルーブトラックから離間した島状のプリピットとなっている。尚、図４においてＷ1はグルーブトラックの幅を示している。
【００１１】
よって、例えば、情報データに応じた記録ビームがグルーブトラックＧＶ上におけるランドプリピットＬＰＰ’に架かる位置に照射されても、その熱がランドプリピットＬＰＰ’におよぶことはない。従って、図４に示されるように、その形状を変形させることなく、グルーブトラックＧＶ上におけるランドプリピットＬＰＰ’の近傍位置に情報ピットＰＴを形成させることが可能になるのである。
【００１２】
尚、図３に示されるが如き形態を有するＤＶＤを製造する為には、グルーブトラックＧＶ及び島状のランドプリピットＬＰＰ’各々を凹状に形成したディスク原盤を作成する必要がある。このディスク原盤を作成するにあたり、先ず、上記グルーブトラックＧＶ及び島状のランドプリピットＬＰＰ’各々の形態を有するマスクパターンをレーザカッティングにより作成する。この際、ランドプリピットＬＰＰ’のディスク半径方向における幅は、グルーブトラックＧＶのトラックピッチよりも狭い。よって、かかるランドプリピットＬＰＰ’のマスクパターンを作成するには、グルーブトラックＧＶのマスクパターンを作成する際に照射するカッティングビームよりもそのビーム径を小径化する必要がある。
【００１３】
図５は、ランドプリピットＬＰＰ’のマスクパターン作成時に用いられる、ＬＰＰカッテイングビーム発生装置の構成の一例を示す図である。
図５において、レーザ発振器５０が発生したレーザ光は、レーザ強度分布補正素子５１を介して対物レンズ５２に導出される。レーザ強度分布補正素子５１は、かかるレーザ光を透過する透過部５１ｂと、これを遮断する遮光部５１ａとからなる。この際、遮光部５１ａは、その中心が上記レーザ光の中心と略一致する位置に設けられている。対物レンズ５２は、かかるレーザ強度分布補正素子５１を介して導出されたレーザ光を集光し、これをカッティングビームとしてマスク素材(図示せぬ)に照射する。この際、レーザ強度分布補正素子５１により、レーザ光の瞳端強度に対して中心部の強度が低下するので、対物レンズＯＬで集光されるビーム径は小径化するのである。
【００１４】
このように、図５に示されるＬＰＰカッティングビーム発生装置では、超解像現象を利用して、カッティングビームのビーム径の小径化を図るのである。
尚、上記実施形態に示されるＤＶＤにおいては、グルーブトラックＧＶを凸状、ランドトラックＬＤを凹状にしているが両者の形状が反対であっても構わない。要するに、グルーブトラックＧＶが凹状、ランドトラックＬＤが凸状であっても構わないのである。この際、情報データを担う情報ピットＰＴはランドトラックＬＤ上に形成されことになり、グルーブトラックＧＶ上には、上記ランドプリピットＬＰＰ’に代わる島状のグルーブプリピットを予め形成しておく。
図６は、ランドプリピットＬＰＰ’の他の例を示す図である。この例の場合、ランドプリピットＬＰＰ’は図３に示されたランドプリピットＬＰＰ’と同様の位置に形成されている。図６及び図６の線ＶＩＩ−ＶＩＩに沿った断面を示す図７に示された如く、ランドプリピットＬＰＰ’はその底部においてはグルーブトラックＧＶと離間して形成されているが、その深さ方向の中程の位置でグルーブトラックＧＶと繋がった形状に形成されている。図７に示された如く、ランドプリピットＬＰＰ’の底部のディスク半径方向の幅Ｗ2は、ランドトラックＬＤの幅、すなわち隣接する一対のグルーブトラックＧＶ間の部分の幅より小であり、これによりランドプリピットＬＰＰ’の底部がグルーブトラックとは離れた形状になっている。
尚、図６、７に示されたランドプリピットＬＰＰ’は図５を用いて説明した方法と同様の方法でカッティングビームのビーム径を小径化することにより形成される。
本実施例によれば、図３に示される実施例と比較してグルーブトラックＧＶとランドプリピットＬＰＰ’との間に形成される壁の高さが低くなっている。図６及び７に示された形状の場合には記録ビームの照射熱がランドプリピットＬＰＰ’に及ぶのを防ぐ効果は小さくなるが、基板Ｂが比較的容易に形成される利点がある。基板Ｂの形成が容易になる結果、ランドプリピットの側面を確定する壁の高さのディスク間のばらつきが減少し、ランドプリピット読み取り信号の均一性が改善される。
【００１５】
【発明の効果】
以上説明したように、本発明による光学式記録媒体によれば、情報データに応じた記録ビームの照射熱がプリピットにおよぶことはないので、情報データを担う情報ピットが正常な形で形成されるようになる。よって、かかる光学式記録媒体からは、波形歪みの無い読取信号が得られて好ましいのである。
本発明は上記実施例に限定されるものではなく、種々の変形が可能である。例えば、上記実施例ではランドプリピットＬＰＰ’の各々の底部は、それを挟む２つのグルーブトラックＧＶから離間して形成されている。しかしながらランドプリピットＬＰＰ’の各々は２つのグルーブトラックの一方からのみ離間し、残りのグルーブトラックには連続して形成されても良い。
【図面の簡単な説明】
【図１】従来の追記又は書換可能なＤＶＤの記録面及び断面を示す斜視図である。
【図２】図１に示されるＤＶＤに情報ピットが形成された際の記録面の形態の一例を示す図である。
【図３】本発明による追記又は書換可能なＤＶＤの記録面及び断面を示す斜視図である。
【図４】本発明によるＤＶＤに情報ピットが形成された際の記録面の形態の一例を示す図である。
【図５】ＬＰＰカッティングビーム発生装置の構成の一例を示す図である。
【図６】本発明による追記又は書換可能なＤＶＤの他の記録面及び断面を示す斜視図である。
【図７】図６の線分ＶＩＩ−ＶＩＩに沿った断面を示す図である。
【主要部分の符号の説明】
ＬＤ  ランドトラック
ＧＶ  グルーブトラック
ＬＰＰ’  ランドプリピット
【図１】
0003702310.tif 000002
【図２】
0003702310.tif 000003
【図３】
0003702310.tif 000004
【図４】
0003702310.tif 000005
【図５】
0003702310.tif 000006
【図６】
0003702310.tif 000007
【図７】
0003702310.tif 000008